(57)【要約】【課題】備えられるインクの数が多くても、占有面積を小さく抑えることのできるインクジェット記録装置を提供する。【解決手段】第１インクを収容する第１タンクと、前記第１インクとは異なる第２インクを収容する第２タンクと、を備え、装置の使用状態において鉛直方向から見た場合に、前記第１タンク及び前記第２タンクが重なりを有して配置されている、インクジェット記録装置。【選択図】図１
2020082608.tif 000002
【特許請求の範囲】
【請求項１】
第１インクを収容する第１タンクと、
前記第１インクとは異なる第２インクを収容する第２タンクと、
を備え、
装置の使用状態において鉛直方向から見た場合に、前記第１タンク及び前記第２タンクが重なりを有して配置されている、インクジェット記録装置。
【請求項２】
請求項１において、
前記第１タンク及び前記第２タンクには、インク注入口が設けられ、
前記第１タンクのインク注入口及び前記第２タンクのインク注入口は、装置の使用状態において鉛直方向から見た場合に、重なりを有しない、インクジェット記録装置。
【請求項３】
請求項２において、
前記インク注入口は、インク注入時に空気流路を形成する、インクジェット記録装置。
【請求項４】
請求項１ないし請求項３のいずれか一項において、
互いに異なるインクが収容された６個以上のタンクを有し、
前記第１タンクは、前記６個以上のタンクのうちの１つであり、
前記第２タンクは、前記６個以上のタンクのうちの前記第１タンク以外の１つである、インクジェット記録装置。
【請求項５】
請求項１ないし請求項４のいずれか一項において、
前記第１タンクが前記第２タンクよりも、装置の使用状態において鉛直方向上方に配置され、
前記第１インクのＬ＊値は、前記第２インクのＬ＊値よりも大きい、インクジェット記録装置。
【請求項６】
請求項１ないし請求項４のいずれか一項において、
前記第１タンクが前記第２タンクよりも、装置の使用状態において鉛直方向上方に配置され、
前記第１インクの色材濃度は、前記第２インクの色材濃度よりも小さい、インクジェット記録装置。
【請求項７】
請求項１ないし請求項４のいずれか一項において、
前記第１タンクが前記第２タンクよりも、装置の使用状態において鉛直方向上方に配置され、
前記第１インクが染料インクであり、前記第２インクが顔料インクである、インクジェット記録装置。
【請求項８】
請求項１ないし請求項４のいずれか一項において、
前記第１タンクが前記第２タンクよりも鉛直方向上方に配置され、
前記第１インクが白色インク又はクリアインクである、インクジェット記録装置。
【請求項９】
請求項１ないし請求項４のいずれか一項において、
前記第１タンクが前記第２タンクよりも、装置の使用状態において鉛直方向上方に配置され、
前記第２インクが黒系インクである、インクジェット記録装置。
【請求項１０】
請求項１ないし請求項９のいずれか一項に記載のインクジェット記録装置と、
前記第１タンクに前記第１インクを供給するインク供給容器と、
を含む、インクジェット記録セット。
【請求項１１】
請求項１０において、
前記インク供給容器は、圧入式である、インクジェット記録セット。
【発明の詳細な説明】
【技術分野】
【０００１】
本発明は、インクジェット記録装置及びインクジェット記録セットに関する。
【背景技術】
【０００２】
インクジェット記録方法は、微細なノズルからインクの小滴を吐出して、記録媒体に付着させて記録を行う方法である。この方法は、比較的安価な装置で高解像度かつ高品位な画像を、高速で記録できるという特徴を有する。
【０００３】
インクジェット記録方法で用いる記録装置は、高品質な記録を行うために幅広い技術に関して検討が為されている。例えば、特許文献１には、互いに異なる色のインクを複数備えることにより、高画質の記録を行うことが提案されている。
【先行技術文献】
【特許文献】
【０００４】
【特許文献１】特開２０１５−１６０９２３号公報
【発明の概要】
【発明が解決しようとする課題】
【０００５】
フォトグラフィックスと呼ばれる非常に高精細、高品質の画像を、インクジェットにより記録する場合、用いるインクジェット記録装置に、互いに異なる色のインクが例えば６色以上の多数備えられる場合がある。インクはそれぞれ容器に収容されてインクジェット記録装置に搭載されるので、インクの数が増えると、インクジェット記録装置を設置した場合の占有面積が大きくなる場合があった。そのため、備えられるインクの数が多くても、占有面積を小さく抑えることのできるインクジェット記録装置が求められている。
【課題を解決するための手段】
【０００６】
本発明に係るインクジェット記録装置の一態様は、
第１インクを収容する第１タンクと、
前記第１インクとは異なる第２インクを収容する第２タンクと、
を備え、
装置の使用状態において鉛直方向から見た場合に、前記第１タンク及び前記第２タンクが重なりを有して配置されている。
【０００７】
上記インクジェット記録装置の態様において、
前記第１タンク及び前記第２タンクには、インク注入口が設けられ、
前記第１タンクのインク注入口及び前記第２タンクのインク注入口は、装置の使用状態において鉛直方向から見た場合に、重なりを有しなくてもよい。
【０００８】
上記インクジェット記録装置の態様のいずれかにおいて、
前記インク注入口は、インク注入時に空気流路を形成してもよい。
【０００９】
上記インクジェット記録装置の態様のいずれかにおいて、
互いに異なるインクが収容された６個以上のタンクを有し、
前記第１タンクは、前記６個以上のタンクのうちの１つであり、
前記第２タンクは、前記６個以上のタンクのうちの前記第１タンク以外の１つであってもよい。
【００１０】
上記インクジェット記録装置の態様のいずれかにおいて、
前記第１タンクが前記第２タンクよりも、装置の使用状態において鉛直方向上方に配置され、
前記第１インクのＬ＊値は、前記第２インクのＬ＊値よりも大きくてもよい。
【００１１】
上記インクジェット記録装置の態様のいずれかにおいて、
前記第１タンクが前記第２タンクよりも、装置の使用状態において鉛直方向上方に配置され、
前記第１インクの色材濃度は、前記第２インクの色材濃度よりも小さくてもよい。
【００１２】
上記インクジェット記録装置の態様のいずれかにおいて、
前記第１タンクが前記第２タンクよりも、装置の使用状態において鉛直方向上方に配置され、
前記第１インクが染料インクであり、前記第２インクが顔料インクであってもよい。
【００１３】
上記インクジェット記録装置の態様のいずれかにおいて、
前記第１タンクが前記第２タンクよりも鉛直方向上方に配置され、
前記第１インクが白色インク又はクリアインクであってもよい。
【００１４】
上記インクジェット記録装置の態様のいずれかにおいて、
前記第１タンクが前記第２タンクよりも、装置の使用状態において鉛直方向上方に配置され、
前記第２インクが黒系インクであってもよい。
【００１５】
本発明に係るインクジェット記録セットの一態様は、
上述のインクジェット記録装置と、
前記第１タンクに前記第１インクを供給するインク供給容器と、
を含む。
【００１６】
上記インクジェット記録セットの態様において、
前記インク供給容器は、圧入式であってもよい。
【図面の簡単な説明】
【００１７】
【図１】実施形態に係るインクジェット記録装置の外観斜視図。
【図２】実施形態に係るインクジェット記録装置の大まかな内部構造を示す概略図。
【図３】実施形態に係るタンクの状態を表す概略図。
【図４】実施形態に係るタンクの配置の例を示す概略図。
【図５】実施形態に係るタンクの配置の例を示す概略図。
【図６】実施形態に係るタンクの配置の例を示す概略図。
【図７】実施形態に係るタンクの配置の例を示す概略図。
【図８】実施形態に係るタンクの配置の例を示す概略図。
【図９】実施形態に係るインク注入口の配置の例を示す概略図。
【図１０】実施形態に係るインク注入口の配置の例を示す概略図。
【図１１】実施形態に係るインク注入口の配置の例を示す概略図。
【図１２】従来のタンクの配置の例を示す概略図。
【発明を実施するための形態】
【００１８】
以下に本発明の実施形態について説明する。以下に説明する実施形態は、本発明の例を説明するものである。本発明は以下の実施形態になんら限定されるものではなく、本発明の要旨を変更しない範囲において実施される各種の変形形態も含む。なお以下で説明され
る構成の全てが本発明の必須の構成であるとは限らない。
【００１９】
１．インクジェット記録装置
本実施形態のインクジェット記録装置は、第１インクを収容する第１タンクと、第１インクとは異なる第２インクを収容する第２タンクと、を備えている。
【００２０】
以下、インクジェット記録装置の概要及びインクについて述べ、後にタンクの配置その他の特徴について述べる。
【００２１】
１．１．インクジェット記録装置の概要
図１は、本実施形態に係るインクジェット記録装置１の外観斜視図である。図２は、本実施形態に係るインクジェット記録装置１の正面（図中Ｘ軸＋方向に沿う方向）からみた概略断面図であり、インクジェット記録装置１の大まかな内部構造を示す概略図である。図３は、本実施形態に係るインクジェット記録装置１を側面（図中Ｙ軸−方向に沿う方向）から見た概略図である。なお図３では、タンク６（インク収容室１３）に収容されるインクに、網掛けを施している。
【００２２】
図１及び図２を参照し、本実施形態に係るインクジェット記録装置１の概要を説明する。図１に示すように、本実施形態に係るインクジェット記録装置１は、略箱形の筐体２を有している。
【００２３】
なお、本明細書の説明では、筐体２の長手方向（幅方向）をＹ方向とし、筐体２の短手方向（奥行き方向）をＸ方向とし、筐体２の高さ方向をＺ方向とする。さらに、方向を示す矢印の先端側を（＋）方向とし、方向を示す矢印の基端側を（−）方向とする。
【００２４】
インクジェット記録装置１の正面側（Ｘ（−）方向側）には、複数の操作ボタン３と、記録媒体カセット５と、記録媒体排出口４と、インクが収容される複数のタンク６とが配置されている。複数のタンク６には、複数色のインクのうちいずれかのインクがそれぞれ収容されている。
【００２５】
記録媒体カセット５は、正面側に引き出し可能な構成となっており、複数の記録媒体７（図２参照）を重ねて収容することができる。ユーザーが操作ボタン３を操作したり、図示せぬ外部コンピューターから記録を指示する信号が入力されると、記録媒体カセット５から記録媒体７が給紙され、筐体２の中で記録媒体７に画像が記録された後、記録媒体７が記録媒体排出口４から排出される。
【００２６】
図２に示すように、筐体２の中には、Ｙ方向に延びるガイドレール８と、ガイドレール８によって支持され記録媒体７上で往復動するキャリッジ９とが設けられている。キャリッジ９の底面側（Ｚ（−）方向側）には、複数のノズル（図示省略）が形成された記録ヘッド１０が搭載されており、記録ヘッド１０のノズルから記録媒体７に向かってインクが吐出される。
【００２７】
タンク６と記録ヘッド１０とは可撓性を有するインクチューブ１１によって連通されている。タンク６に収容されるインクは、インクチューブ１１を介して記録ヘッド１０に供給される。
【００２８】
このように、本実施形態に係るインクジェット記録装置１は、複数色のインクを吐出する記録ヘッド１０と、記録ヘッド１０に複数色のインクを供給する複数のタンク６とを有する。
【００２９】
さらに、インクジェット記録装置１は、キャリッジ９の往復動作と、記録媒体７の搬送動作とに合わせて、記録ヘッド１０からインクを吐出させる記録機構を備え、記録媒体７に画像を記録する。
【００３０】
図１〜図３に示す例では、インクジェット記録装置１には、６個のタンク６が設けられている。６個のタンク６のそれぞれには、イエローのインク、マゼンタのインク、シアンのインク、ブラックのインク、ライトマゼンタのインク、ライトシアンのインクのいずれかが収容されている。このように、本実施形態に係るインクジェット記録装置１は、記録ヘッド１０に複数色のインクを供給するタンク６を有する。
【００３１】
筐体２は、上蓋１４を有し、上蓋１４はＸ（＋）方向側の端１４ａを支点として回動可能である。上蓋１４のＸ（＋）方向側の端１４ａを支点として、上蓋１４をＸ（−）方向側に開くと、タンク６におけるインク収容室１３のキャップ部材１５が露出する。ユーザーは、タンク６に収容されるインクが少なくなると、上蓋１４を開き、キャップ部材１５を取り外し、インク注入口３１（図３参照）からインクをインク収容室１３に補充することができる。
【００３２】
１．２．インク
本実施形態のインクジェット記録装置は、上述のタンクに収容されたインクを、上述の記録ヘッドのノズルから吐出する。インクは、少なくとも溶媒を含む。また、インクは、色材を含む顔料インク、染料インクであってもよいし、色材を積極的には含まないクリアインクであってもよい。
【００３３】
１．２．１．溶媒
本実施形態に係るインクジェット記録装置で使用するインクは、溶媒を含有する。溶媒としては、水、有機溶剤、重合性化合物など、公知のものを用いることができる。溶媒の含有量はインクの総量に対して好ましくは４５．０質量％以上であり、より好ましくは５０．０質量％以上９８．０質量％以下であり、さらに好ましくは５５．０質量％以上９５．０質量％以下である。
【００３４】
１．２．２．色材
本実施形態に係るインクは、色材を含んでもよい。色材としては、顔料、染料のいずれも用いることができ、カーボンブラックを含む無機顔料、有機顔料、油溶染料、酸性染料、直接染料、反応性染料、塩基性染料、分散染料、昇華型染料等を用いることができる。本実施形態のインクでは、色材が分散樹脂により分散されていてもよく、自己分散型の色材を用いてもよく、色材が溶解していてもよく、これらの色材が併用されてもよい。
【００３５】
無機顔料としては、ファーネスブラック、ランプブラック、アセチレンブラック、チャネルブラック等のカーボンブラック（Ｃ．Ｉ．ピグメントブラック７）類、酸化鉄、酸化チタン、酸化亜鉛、シリカ等を用いることができる。
【００３６】
カーボンブラックとしては、三菱化学株式会社製のＮｏ．２３００、９００、ＭＣＦ８８、Ｎｏ．２０Ｂ、Ｎｏ．３３、Ｎｏ．４０、Ｎｏ．４５、Ｎｏ．５２、ＭＡ７、ＭＡ８、ＭＡ１００、Ｎｏ２２００Ｂ等が挙げられる。デグサ社製のカラーブラックＦＷ１、ＦＷ２、ＦＷ２Ｖ、ＦＷ１８、ＦＷ２００、Ｓ１５０、Ｓ１６０、Ｓ１７０、プリテックス３５、Ｕ、Ｖ、１４０Ｕ、スペシャルブラック６、５、４Ａ、４、２５０等を例示できる。コロンビアカーボン社製のコンダクテックスＳＣ、ラーベン１２５５、５７５０、５２５０、５０００、３５００、１２５５、７００等を例示できる。キャボット社製のリガール４００Ｒ、３３０Ｒ、６６０Ｒ、モグルＬ、モナーク７００、８００、８８０、９００、１０００、１１００、１３００、１４００、エルフテックス１２等を例示できる。
【００３７】
白色顔料としては、例えば、金属酸化物、硫酸バリウム、炭酸カルシウム等の金属化合物が挙げられる。金属酸化物としては、例えば二酸化チタン、酸化亜鉛、シリカ、アルミナ、酸化マグネシウム等が挙げられる。また、白色顔料には、中空構造を有する粒子を用いてもよく、中空構造を有する粒子としては、公知のものを用いることができる。白色顔料としては、例示した中でも、白色度が良好であるという観点から、二酸化チタンを用いることが好ましい。白色顔料は、１種単独でも、２種以上を併用してもよい。
【００３８】
なお、本明細書において、白色インク、白色顔料等という際の「白色」という語句は、完全な白のみを指すものではなく、白と視認できる範囲であれば、有彩色や無彩色に着色した色や光沢を帯びた色も含む。より定量的には「白色」は、例えばＣＩＥＬＡＢにおいて、Ｌ＊が１００である色のみならず、Ｌ＊が８０以上１００以下であり、ａ＊及びｂ＊がそれぞれ±１０以下の色も含まれる。
【００３９】
有機顔料としては、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料又はアゾ系顔料等を例示できる。
【００４０】
インクに用いられる有機顔料の具体例としては下記のものが挙げられる。
【００４１】
シアン顔料としては、Ｃ．Ｉ．ピグメントブルー１、２、３、１５：３、１５：４、１５：３４、１６、２２、６０等；Ｃ．Ｉ．バットブルー４、６０等が挙げられ、好ましくは、Ｃ．Ｉ．ピグメントブルー１５：３、１５：４、及び６０から選択される一種又は二種以上を例示できる。
【００４２】
マゼンタ顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、Ｃ．Ｉ．ピグメントバイオレット１９等が挙げられ、好ましくはＣ．Ｉ．ピグメントレッド１２２、２０２、及び２０９、Ｃ．Ｉ．ピグメントバイオレット１９から選択される一種又は二種以上を例示できる。
【００４３】
イエロー顔料としては、Ｃ．Ｉ．ピグメントイエロー１、２、３、１２、１３、１４Ｃ、１６、１７、７３、７４、７５、８３、９３、９５、９７、９８、１１９、１１０、１１４、１２８、１２９、１３８、１５０、１５１、１５４、１５５、１８０、１８５、等が挙げられ、好ましくはＣ．Ｉ．ピグメントイエロー７４、１０９、１１０、１２８、及び１３８から選択される一種又は二種以上を例示できる。
【００４４】
オレンジ顔料としては、Ｃ．Ｉ．ピグメントオレンジ３６若しくは４３又はこれらの混合物を例示できる。グリーンインクに使用される顔料としては、Ｃ．Ｉ．ピグメントグリーン７若しくは３６又はこれらの混合物を例示できる。
【００４５】
上記例示した顔料は、好適な顔料の例であり、これらによって本発明が限定されるものではない。これらの顔料は一種又は二種以上の混合物として用いてよいし、染料と併用しても構わない。
【００４６】
また、顔料は、水溶性樹脂、水分散性樹脂や界面活性剤から選ばれる分散剤を用いて顔料分散して用いてもよく、あるいはオゾン、次亜塩素酸、発煙硫酸等により、顔料表面を
酸化、あるいはスルホン化して自己分散顔料として用いてもよい。
【００４７】
本実施形態のインクにおいて、顔料を分散樹脂により分散させる場合には、顔料と分散樹脂との比率は質量基準で１０：１〜１：１０が好ましく、４：１〜１：３がより好ましい。また、分散時の顔料の体積平均粒子径は、動的光散乱法で計測した場合の最大粒径が５００ｎｍ未満で平均粒径が３００ｎｍ以下であり、より好ましくは平均粒径が２００ｎｍ以下である。
【００４８】
本実施形態のインクに用い得る染料としては、水溶解系として酸性染料、直接染料、反応性染料、及び塩基性染料、水分散系として分散染料、油溶染料、昇華型染料等を挙げることができる。
【００４９】
酸性染料としては、Ｃ．Ｉ．アシッドイエロー１７、２３、４２、４４、７９、１４２、Ｃ．Ｉ．アシッドレッド５２、８０、８２、２４９、２５４、２８９、Ｃ．Ｉ．アシッドブルー９、４５、２４９、Ｃ．Ｉ．アシッドブラック１、２、２４、９４等を例示できる。
【００５０】
直接染料としては、Ｃ．Ｉ．ダイレクトイエロー１、１２、２４、３３、５０、５５、５８、８６、１３２、１４２、１４４、１７３、Ｃ．Ｉ．ダイレクトレッド１、４、９、８０、８１、２２５、２２７、Ｃ．Ｉ．ダイレクトブルー１、２、１５、７１、８６、８７、９８、１６５、１９９、２０２、Ｃ．Ｉ．ダイレクトブラック１９、３８、５１、７１、１５４、１６８、１９５、Ｃ．Ｉ．ダイレクトブルー２、３、８、１０、１２、３１、３５、６３、１１６、１３０、１４９、１９９、２３０、２３１等を例示できる。
【００５１】
反応性染料としてＣ．Ｉ．リアクティブイエロー２、７、１５、２２、３７、４２、５７、６９、７６、８１、９５、１０２、１２５、１３５、Ｃ．Ｉ．リアクティブレッド２、１４、２４、３２、５５、７９、１０６、１１１、１２４、Ｃ．Ｉ．リアクティブブルー２、１３、２１、３８、４１、５０、６９、７２、１０９、１２０、１４３、Ｃ．Ｉ．リアクティブブラック３、４、５、８、１３、１４、３１、３４、３５、３９等を例示できる。
【００５２】
塩基性染料としては、Ｃ．Ｉ．ベーシックイエロー１、２、１３、１９、２１、２５、３２、３６、４０、５１、Ｃ．Ｉ．ベーシックレッド１、５、１２、１９、２２、２９、３７、３９、９２、Ｃ．Ｉ．ベーシックブルー１、３、９、１１、１６、１７、２４、２８、４１、４５、５４、６５、６６、Ｃ．Ｉ．ベーシックブラック２、８等を例示できる。
【００５３】
また、分散染料、油溶染料としては、インクビヒクル中で溶解せずに分散する色材であればいずれも用いることができ、アゾ系、金属錯塩アゾ系、アントラキノン系、フタロシアニン系、トリアリルメタン系等を例示できる。
【００５４】
分散染料としては、Ｃ．Ｉ．ディスパースレッド６０、８２、８６、８６：１、１６７：１、２７９、Ｃ．Ｉ．ディスパースイエロー６４、７１、８６、１１４、１５３、２３３、２４５、Ｃ．Ｉ．ディスパースブルー２７、６０、７３、７７、７７：１、８７、２５７、３６７、Ｃ．Ｉ．ディスパースバイオレット２６、３３、３６、５７、Ｃ．Ｉ．ディスパースオレンジ３０、４１、６１等を例示できる。
【００５５】
油溶染料としては、Ｃ．Ｉ．ソルベントイエロー１６、２１、２５、２９、３３、５１、５６、８２、８８、８９、１５０、１６３、Ｃ．Ｉ．ソルベントレッド７、８、１８、２４、２７、４９、１０９、１２２、１２５、１２７、１３０、１３２、１３５、２１８
、２２５、２３０、Ｃ．Ｉ．ソルベントブルー１４、２５、３５、３８、４８、６７、６８、７０、１３２、Ｃ．Ｉ．ソルベントブラック３、５、７、２７、２８、２９、３４等を例示できる。
【００５６】
昇華型染料としては、昇華性を有する分散染料、油溶染料等を用いることができる。このような染料の具体例としては、Ｃ．Ｉ．ディスパースイエロー３、７、８、２３、３９、５１、５４、６０、７１、８６；Ｃ．Ｉ．ディスパースオレンジ１、１：１、５、２０、２５、２５：１、３３、５６、７６；Ｃ．Ｉ．ディスパースブラウン２；Ｃ．Ｉ．ディスパースレッド１１、５０、５３、５５、５５：１、５９、６０、６５、７０、７５、９３、１４６、１５８、１９０、１９０：１、２０７、２３９、２４０；Ｃ．Ｉ．バットレッド４１；Ｃ．Ｉ．ディスパースバイオレット８、１７、２３、２７、２８、２９、３６、５７；Ｃ．Ｉ．ディスパースブルー１９、２６、２６：１、３５、５５、５６、５８、６４、６４：１、７２、７２：１、８１、８１：１、９１、９５、１０８、１３１、１４１、１４５、３５９；Ｃ．Ｉ．ソルベントブルー３６、６３、１０５、１１１等が挙げられる。これらは、単独で用いてもよいし２種類以上を併用してもよい。
【００５７】
上記例示した染料は、好適な色材の例であり、これらによって本発明が限定されるものではない。これらの染料は一種又は二種以上の混合物として用いてよいし、顔料と併用しても構わない。
【００５８】
色材を含む場合、その含有量は、用途に応じて適宜調整することができるが、好ましくは０．１０質量％以上２０．０質量％以下であり、より好ましくは０．２０質量％以上１５．０質量％以下であり、さらに好ましくは１．０質量％以上１０．０質量％以下である。
【００５９】
１．２．３．その他の成分
さらに上記以外の成分として、本実施形態のインクは、例えば、分散剤、樹脂粒子、ｐＨ調整剤、キレート化剤、保湿剤、防錆剤、酸化防止剤、紫外線吸収剤、酸素吸収剤、溶解助剤など、インクジェット用のインクにおいて通常用いることができる添加剤を含有してもよい。
【００６０】
１．３．タンク
上述のインクジェット記録装置１では、タンク６が６個備えられているが、タンクの数は複数であれば限定されず、５個以下であっても７個以上であってもよい。また、図１〜図３の例では、タンクは、インクジェット記録装置の一端側に６個集積して配置されているが、例えば、一端側に２個、他端側に４個というように装置内で分散して配置されてもよい。
【００６１】
１．３．１．タンクの形状等
タンクは、インクを収容するインク収容室を有し、インクチューブに対してインクを供給できるのであれば、全体の形状、材質等に制限はない。しかし、並べて配置しやすい点、重ねて配置しやすい点などから、タンクは略直方体の外形であることが好ましい。また、タンクのインクに接触する部分はの材質は、インクの組成や性状に影響しにくいという点から、ポリオレフィン系の材質で形成されることが好ましい。
【００６２】
タンクは、タンクにインクを注入することのできるインク注入口を有してもよい。インク注入口は、タンクの外側と、インク収容室とを連通する開口であり、外部からインク注入口を通じてインクをタンクに注入することができる。
【００６３】
インク注入口は、例えば、上記インクジェット記録装置１で例示したように、装置を使
用する状態において、タンクの側面のいずれかに設けられてもよい。また、インク注入口は、装置を使用する状態において、タンクの上面に設けられてもよい。インク注入口が、装置を使用する状態において、タンクの側面に設けられる場合には、タンクの底面よりもタンクの上面に近い位置に設けられることが好ましい。
【００６４】
本明細書において「装置の使用状態」又は「装置を使用する状態」とは、インクジェット記録装置が、記録を行う姿勢で設置された状態をいう。
【００６５】
インク注入口は、上記インクジェット記録装置１で例示したように、単純な開口であっても良いし、後述するインク供給容器の供給口と嵌合する構造となっていてもよい。また、インク注入口の形状は、円形であっても他の形状であってもよい。
【００６６】
タンクにインク注入口が設けられる場合、インク注入口は、インク注入時に空気流路を形成できるような構造としてもよい。インク注入口に後述するインク供給容器を接続してインク供給容器からタンクへインクを注入する際、インク供給容器が圧入式である場合には、インクの注入時にタンク中の空気を大気に放出することにより、インクをより容易に注入することができる。このような観点から、インク注入口に圧入式のインク供給容器を接続した場合に、インク供給容器の供給口と嵌合して密閉することなく、タンク内部と大気とが連通する空気流路が形成される構造が形成されるように、インク注入口又は供給口が構成されてもよい。
【００６７】
タンクにはさらに、その他の構成が設けられてもよく、例えば、タンクを積層配置する際に位置を案内する凹凸や、タンクのインク収容室の内部のインクの量を外部から確認できるような窓、目盛り、水位管、浮き等が設けられてもよい。
【００６８】
１．３．２．タンクの配置と呼称
本実施形態のインクジェット記録装置には、複数のタンクが備えられるが、複数のタンクのうち、少なくとも１つのタンクが、他のタンクと重ねて配置される。すなわち、本実施形態のインクジェット記録装置では、タンクの少なくとも１つは、装置の使用状態において鉛直方向から見た場合に、重なりを有して配置される。
【００６９】
このように配置されることにより、装置の設置面積又は占有面積を小さくすることができる。また、タンクの鉛直方向の高さを小さくすることができるので、タンクへインクを注入する際に、注入されるインクの落ちる高さが小さくなり、注入時の泡立ちを抑制することができる。すなわち、タンクの高さ（図中Ｚ方向の大きさ）を小さくして重ねて配置すれば、同容量のタンクを搭載する場合、タンクの幅（図中Ｙ方向の大きさ）を小さくしてＹ方向に複数のタンクを並べる場合に比べて、タンクの高さを小さくすることができ、インク注入時の泡立ちを抑制できる。インクの泡立ちを抑制できる結果、インクの気泡により記録ヘッドからの吐出不良を抑制でき、より良好な吐出安定性を得ることができる。
【００７０】
本明細書では、複数あるタンクのうちの一つを「第１タンク」と称し、複数のタンクのうちの第１タンク以外の１つのタンクを「第２タンク」と称し、第１タンクのほうが、第２タンクよりも鉛直方向で上方に配置されるものとする。
【００７１】
第１タンク及び第２タンクを選んだときに、選ばれた第１タンクと第２タンクとが、装置の使用状態において鉛直方向から見た場合に、重なりを有して配置されていれば、装置の設置面積又は占有面積を小さくすることができる。この場合、第１タンク及び第２タンクは、複数のタンクから、このような配置となるように都合よく選ぶことができる。また、本明細書では、第１タンクに収容されるインクを「第１インク」、第２タンクに収容されるインクを「第２インク」と呼ぶ。
【００７２】
２つのタンクが、装置の使用状態において鉛直方向から見た場合に、重なりを有して配置される態様としては、２段で重ねて配置された態様や３段以上に重ねて配置された態様が挙げられる。また、２つのタンクが、装置の使用状態において鉛直方向から見た場合に、全体が重なって配置されてもよい。タンクが３段以上に重ねて配置される場合には、タンクの鉛直方向の高さをさらに小さくすることができるので、タンクへインクを注入する際に、注入されるインクの落ちる高さがより小さくなるので、注入時の泡立ちを抑制する効果が高まる。
【００７３】
インクジェット記録装置は、互いに異なるインクが収容された６個以上のタンクを有してもよい。この場合、第１タンクは、６個以上のタンクのうちの１つであり、第２タンクは、６個以上のタンクのうちの第１タンク以外の１つとすることができる。
【００７４】
タンクの数が６個以上であると、タンクを重ねて配置することで、設置面積を小さくする効果がより顕著となる。
【００７５】
１．３．３．タンクの配置のバリエーション
図４〜図８は、タンクの配置の例を示す模式図である。図４〜図８は、図１〜図３に示したインクジェット記録装置１の正面（Ｘ−側からＸ＋方向に向かって見た正面）側からタンク６を見る模式図となっている。
【００７６】
図４に示す例では、６個のタンク６が、３個Ｘ方向に配置され、Ｚ方向に２段に積層して配置されている。図４の例は、図１〜図２に例示したインクジェット記録装置１のタンク６の配置の概略を示している。この例では、上段に配置されたタンク６のいずれかを第１タンクとし、その下側に配置されたタンク６を第２タンクとすれば、第１タンクと第２タンクとが、装置の使用状態において鉛直方向から見た場合に、重なりを有して配置されていることとなる。
【００７７】
また、図示はしないが、タンクの数が２個以上であれば、２段以上に重ねて配置することで、タンクをＸ方向に薄くする場合に比べて、設置面積を小さくでき、かつ、インク注入時のインクの落下距離を小さくすることができることが理解されよう。すなわち、同じ設置面積で６個のタンクを配置する場合、タンクのＸ方向の幅を小さくしてＸ方向に一段で６個配置した場合（図１２参照）に比べ、図４に示すように、３個Ｘ方向に配置され、Ｚ方向に２段に積層して配置したほうが、インク注入時のインクの落下距離を小さくすることができる。
【００７８】
図５に示す例では、９個のタンク６が、３個Ｘ方向に配置され、Ｚ方向に３段に積層して配置されている。図５の例では、上段又は中段に配置されたタンク６のいずれかを第１タンクとし、その下側に配置されたタンク６を第２タンクとして選べば、第１タンクと第２タンクとが、装置の使用状態において鉛直方向から見た場合に、重なりを有して配置されていることとなる。
【００７９】
図６に示す例では、６個のタンク６が、３個Ｘ方向に配置され、Ｚ方向に２段に積層し、上段と下段とがＸ方向にずれた状態で配置されている。図６の例では、上段に配置されたタンク６のいずれかを第１タンクとし、その下側に配置されたタンク６のいずれかを第２タンクとして選べば、第１タンクと第２タンクとが、装置の使用状態において鉛直方向から見た場合に、重なりを有して配置されていることとなる。
【００８０】
図７に示す例では、４個のタンク６が、Ｚ方向に２段に積層し、下段に１個のタンク６が配置され、上段にタンク３個がＸ方向に配置されている。図７の例では、上段に配置さ
れたタンク６のいずれかを第１タンクとし、下段のタンク６を第２タンクとして選べば、第１タンクと第２タンクとが、装置の使用状態において鉛直方向から見た場合に、重なりを有して配置されていることとなる。
【００８１】
図８に示す例では、５個のタンク６が配置されているが、５個のうち４個のタンク６が２個Ｘ方向に配置され、Ｚ方向に２段に積層して配置されている。残りの１個のタンク６は、Ｚ方向に積層することなく配置されている。図８の例では、４個のタンク６のうち上段に配置されたタンク６の一方を第１タンクとし、その下段に配置されたタンク６を第２タンクとして選べば、第１タンクと第２タンクとが、装置の使用状態において鉛直方向から見た場合に、重なりを有して配置されていることとなる。
【００８２】
図４〜図８に例示したように、選ばれた第１タンクと第２タンクとが、装置の使用状態において鉛直方向から見た場合に、重なりを有して配置されていれば、装置の設置面積又は占有面積を小さくすることができ、かつ、インク注入時の泡立ちを抑制することができる。
【００８３】
１．３．４．インク注入口の配置のバリエーション
第１タンク及び第２タンクには、インク注入口が設けられてもよいことは既に述べた。第１タンクのインク注入口及び第２タンクのインク注入口は、装置の使用状態において鉛直方向から見た場合に、重なりを有しないように配置されることがより好ましい。
【００８４】
インク注入口から、インクをタンクに注入する際、インクがこぼれたり、飛び散ったりする場合がある。このような場合に、第１タンク（重ねて配置された上側のタンク）のインク注入口及び第２タンク（重ねて配置された下側のタンク）のインク注入口が、装置の使用状態において鉛直方向から見た場合に、重なりを有していると、第１タンクのインク注入口からこぼれた第１インクが、第２タンクのインク注入口に付着しやすくなったり、第２タンク内に侵入しやすくなる場合がある。第１タンクのインク注入口及び第２タンクのインク注入口は、装置の使用状態において鉛直方向から見た場合に、重なりを有しないように配置されることにより、第１タンクの第１インクにより第２タンクの第２インクが汚染されることを抑制することができる。
【００８５】
図９〜図１１は、インク注入口３１の配置の例を示す模式図である。図９〜図１１は、図１〜図３に示したインクジェット記録装置１の正面（Ｘ−側からＸ＋方向に向かって見た正面）側からタンク６及びインク注入口３１を見る模式図となっている。
【００８６】
図９に示す例では、６個のタンク６が、３個Ｘ方向に配置され、Ｚ方向に２段に積層して配置されている。図９の例は、図１〜図２に例示したインクジェット記録装置１のタンク６の配置の概略を示している。この例では、上段に配置されたタンク６のいずれかを第１タンクとし、その下側に配置されたタンク６を第２タンクとすれば、第１タンクと第２タンクとが、装置の使用状態において鉛直方向から見た場合に、重なりを有して配置されていることとなる。しかし、第１タンクのインク注入口３１及び第２タンクのインク注入口３１は、装置の使用状態において鉛直方向から見た場合に、重なりを有して配置されている。
【００８７】
これに対して、図１０に示す例では、６個のタンク６が、３個Ｘ方向に配置され、Ｚ方向に２段に積層して配置され、上段と下段とがＸ方向にずれた状態で配置されている。図１０の例では、上段に配置されたタンク６のいずれかを第１タンクとし、その下側に配置されたタンク６のいずれかを第２タンクとして選べば、第１タンクと第２タンクとが、装置の使用状態において鉛直方向から見た場合に、重なりを有して配置されていることとなる。しかも、図１０の例では、上段と下段とがＸ方向にずれた状態で配置されている結果
、第１タンクのインク注入口３１及び第２タンクのインク注入口３１が、装置の使用状態において鉛直方向から見た場合に、重なりを有しない。これにより、第１タンクの第１インクにより第２タンクの第２インクが汚染されることを抑制するという更なる効果を得ることができる。
【００８８】
また、図１１に示す例では、６個のタンク６が、３個Ｘ方向に配置され、Ｚ方向に２段に積層して配置されている。しかし、タンク６に形成されたインク注入口３１の位置が、上段のタンク６ではＸ方向＋側に配置され、下段のタンク６ではＸ方向−側に配置されている。図１１の例では、上段に配置されたタンク６のいずれかを第１タンクとし、その下側に配置されたタンク６を第２タンクとして選べば、第１タンクと第２タンクとが、装置の使用状態において鉛直方向から見た場合に、重なりを有して配置されていることとなる。しかも、図１１の例でも、第１タンクのインク注入口３１及び第２タンクのインク注入口３１が、装置の使用状態において鉛直方向から見た場合に、重なりを有しない。これにより、第１タンクの第１インクにより第２タンクの第２インクが汚染されることを抑制するという更なる効果を得ることができる。
【００８９】
１．４．インクの上下
本実施形態において、第１インクのＣＩＥＬＡＢにおけるＬ＊値は、第２インクのＬ＊値よりも大きくてもよい。すなわち、第１タンクが第２タンクよりも、装置の使用状態において鉛直方向上方に配置され、第１タンクに収容される第１インクのＬ＊値が、第２タンクに収容される第２インクのＬ＊値よりも大きくてもよい。このようにすることで、仮に第１タンクに第１インクを注入する際に第１インクが漏れて第２インクに混ざったとしても、第２インクのＬ＊値を大きく変化させにくくすることができる。
【００９０】
また、本実施形態において、第１インクの色材濃度は、第２インクの色材濃度よりも小さくてもよい。このようにすることで、仮に第１タンクに第１インクを注入する際に第１インクが漏れて第２インクに混ざったとしても、第２インクの発色濃度を大きく変化させにくくすることができる。特に、第１インクと第２インクとが同色系の濃淡インクである場合に顕著な効果を得ることができる。同色系の濃淡インクとは、例えば、シアンとライトシアンのインク、マゼンタとライトマゼンタのインク、ブラックとグレーのインク、グレーとライトグレーのインク、等が挙げられる。
【００９１】
さらに本実施形態において、第１インクを染料インクとし、第２インクを顔料インクとしてもよい。このようにすることで、仮に第１タンクに第１インクを注入する際に第１インクが漏れて第２インクに混ざったとしても、第２インクの分散安定性を大きく損ねにくくすることができる。
【００９２】
さらに本実施形態において、第１インクが白色インク又はクリアインクであってもよい。このようにすることで、仮に第１タンクに第１インクを注入する際に第１インクが漏れて第２インクに混ざったとしても、第２インクの色相や発色濃度を大きく変化させにくくすることができる。なお、白色インクとは、上述のインクのうち、白色顔料を含むインクのことを指し、クリアインクとは、色材を含まないインク、あるいは色材を意図的に配合しないインクのことを指す。クリアインクとは、上述のインクのうち、色材を含まないインク、あるいは色材を意図的に配合しないインクのことを指す。
【００９３】
さらに本実施形態において、第２インクが黒系インクであってもよい。このようにすることで、仮に第１タンクに第１インクを注入する際に第１インクが漏れて第２インクに混ざったとしても、第２インクの色相や発色濃度を大きく変化させにくくすることができる。黒系インクとは、黒色顔料、黒色染料を含むインクのことを指し、ブラック、ライトブラック、グレー等のインクのことを指す。
【００９４】
２．インクジェット記録セット
本実施形態のインクジェット記録セットは、上述のインクジェット記録装置と、第１タンクに第１インクを供給するインク供給容器と、を含む。インクジェット記録セットは、タンクに対応するインクを供給できるものであれば、インク供給容器が複数含まれてもよい。
【００９５】
２．１．インク供給容器
本実施形態のインクジェット記録セットに含まれるインク供給容器は、例えば、インク供給容器に収容されたインクをインクの自重で落下させてタンクに注入する方式、すなわち自重式であってもよいし、インク供給容器に収容されたインクをインク供給容器内の圧力を高めてインクをタンクに注入する方式、すなわち圧入式であってもよい。圧入式のインク供給容器としては、注射器形状、パック形状等が挙げられる。
【００９６】
インク供給容器の供給口は、タンクにインクを移し替えることができれば任意であるが、爪、空気流路溝、パッキン、ねじ山等が形成されてもよい。インク供給容器が圧入式である場合には、インク供給容器の供給口の空気流路溝等により、インク注入時に空気流路が形成されるようにすれば、インクの供給を円滑に行うことができる。
【００９７】
２．２．作用効果等
本実施形態のインクジェット記録セットは、上述のインクジェット記録装置のタンクに対してインク供給容器によりインクを供給する。そのため、インク注入時にインクの泡立ちが抑制され、吐出安定性よく記録を安定して行うことができる。また、インク供給容器が圧入式である場合には、インクの注入の容易性又は迅速性が向上する反面、より泡立ちが生じやすくなる場合があるが、上述のインクジェット記録装置のタンクであれば、そのような泡立ちも抑えることができ、安定した記録を行うという効果がより顕著に発現する。
【００９８】
本発明は、上述した実施形態に限定されるものではなく、種々の変形が可能である。例えば、本発明は、実施形態で説明した構成と実質的に同一の構成、例えば、機能、方法及び結果が同一の構成、あるいは目的及び効果が同一の構成、を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００９９】
１…インクジェット記録装置、２…筐体、３…操作ボタン、４…記録媒体排出口、５…記録媒体カセット、６…タンク、７…記録媒体、８…ガイドレール、９…キャリッジ、１０…記録ヘッド、１１…インクチューブ、１３…インク収容室、１４…上蓋、１４ａ…上蓋の端、１５…キャップ部材、３１…インク注入口
【図１】
2020082608.tif 000003
【図２】
2020082608.tif 000004
【図３】
2020082608.tif 000005
【図４】
2020082608.tif 000006
【図５】
2020082608.tif 000007
【図６】
2020082608.tif 000008
【図７】
2020082608.tif 000009
【図８】
2020082608.tif 000010
【図９】
2020082608.tif 000011
【図１０】
2020082608.tif 000012
【図１１】
2020082608.tif 000013
【図１２】
2020082608.tif 000014